(57)【要約】【課題】転炉吹錬のスロッピングを高精度かつ安価に予知することが可能な、スロッピング予知方法を提案する。【解決手段】過去の転炉吹錬におけるスロッピング発生状況およびスロッピング発生時期を表すデータと、過去の転炉吹錬の開始前に得られる操業データの実績値と、を用いて統計的手法で構築したスロッピング予知モデルを、スロッピング発生時期に応じて複数個作成しておき、今後行われる転炉吹錬の開始前に得られる操業データおよび複数個のスロッピング予知モデルを用いて、今後行われる転炉吹錬の開始前に、当該今後行われる転炉吹錬のスロッピング発生時期を予測する、転炉吹錬におけるスロッピング予知方法とする。【選択図】図２
2015224389.tif 000002
【特許請求の範囲】
【請求項１】
過去の転炉吹錬におけるスロッピング発生状況およびスロッピング発生時期を表すデータと、過去の転炉吹錬の開始前に得られる操業データの実績値と、を用いて統計的手法で構築したスロッピング予知モデルを、前記スロッピング発生時期に応じて複数個作成しておき、
今後行われる転炉吹錬の開始前に得られる操業データおよび前記複数個のスロッピング予知モデルを用いて、今後行われる転炉吹錬の開始前に、当該今後行われる転炉吹錬のスロッピング発生時期を予測することを特徴とする、転炉吹錬におけるスロッピング予知方法。
【請求項２】
前記統計的手法として、決定木を用いることを特徴とする、請求項１に記載の転炉吹錬におけるスロッピング予知方法。
【請求項３】
前記統計的手法として、ランダムフォレストを用いることを特徴とする、請求項１に記載の転炉吹錬におけるスロッピング予知方法。
【発明の詳細な説明】
【技術分野】
【０００１】
本発明は、転炉吹錬中に発生すると操業上大きな障害となるスロッピングの予知方法に関するものである。
【背景技術】
【０００２】
転炉吹錬におけるスロッピングとは、吹錬中に突発的に炉内のスラグおよび溶鋼が炉口から炉外に噴出する現象である。特に、ソフトブロー実施時や酸化鉄系副原料投入量が多い場合にスラグ中のＦｅＯが増加し、スラグ−溶鋼界面でＣＯ反応が爆発的に起こって発生すると言われている。
【０００３】
スロッピングは、溶鋼成分を乱し出鋼歩留りを低下させるとともに、吹錬時間の増加、ＯＧガス回収率の低下、作業環境の低下さらには周辺機器の損傷といった様々な問題を引き起こす。そのため、従来からさまざまなスロッピング予知方法が提案されている。
【０００４】
スラグのフォーミング状況をさまざまなセンサーで検知しスロッピング予知を行う技術として、例えば特許文献１には、音響測定法によりスロッピング予知を行う技術が開示されている。このほか、スロッピング予知に関連する技術として、例えば特許文献２には振動測定法が、特許文献３には炉内圧測定法が、特許文献４にはマイクロ波測定法が、特許文献５には炉体表面温度測定法が、それぞれ開示されている。
【先行技術文献】
【特許文献】
【０００５】
【特許文献１】特開昭５４−３３７９０号公報
【特許文献２】特開昭５４−１１４４１４号公報
【特許文献３】特開昭５５−１０４４１７号公報
【特許文献４】特開昭５７−１４０８１２号公報
【特許文献５】特開昭５８−４８６１５号公報
【発明の概要】
【発明が解決しようとする課題】
【０００６】
音響測定法、振動測定法、炉内圧測定法、および、炉体表面温度測定法は、いずれも間接的測定法であるため、スラグレベルおよびスラグの状態を定量的に把握することができない。そのため、特許文献１〜特許文献３、および、特許文献５に開示されている技術はスロッピング予知精度が低かった。これに対し、特許文献４に開示されているマイクロ波測定法は、スラグレベルの直接的測定が可能である。しかしながら、吹錬中の転炉内は溶鋼、スラグ、ガス等が極めて複雑な動きをしているため、異常を検出あるいは推定することは容易でない上に、信号処理等にも高度な技術が必要である。また、いずれのセンサーも高温環境下の転炉で安定して長期間にわたって稼働させるためには、莫大なメンテナンスコストを必要とした。したがって、特許文献１〜特許文献５に開示されているセンサー情報に基づく予知方法を実操業に適用するには、予知精度を高めたりコストを低減したりする必要があった。
【０００７】
そこで、本発明は、転炉吹錬のスロッピングを高精度かつ安価に予知することが可能な、スロッピング予知方法を提案することを目的とする。
【課題を解決するための手段】
【０００８】
以下、本発明について説明する。本発明において、転炉は、上吹き転炉であっても良く、上底吹き転炉であっても良い。
【０００９】
本発明は、過去の転炉吹錬におけるスロッピング発生状況およびスロッピング発生時期を表すデータと、過去の転炉吹錬の開始前に得られる操業データの実績値と、を用いて統計的手法で構築したスロッピング予知モデルを、スロッピング発生時期に応じて複数個作成しておき、今後行われる転炉吹錬の開始前に得られる操業データおよび上記複数個のスロッピング予知モデルを用いて、今後行われる転炉吹錬の開始前に、当該今後行われる転炉吹錬のスロッピング発生時期を予測することを特徴とする、転炉吹錬におけるスロッピング予知方法である。
【００１０】
ここに、本発明において、「転炉吹錬の開始前に得られる操業データ」および「今後行われる転炉吹錬の開始前に得られる操業データ」は、転炉吹錬を行う前に判明している操業データをいう。そのような操業データには、例えば、溶銑成分、溶銑温度、溶銑率、装入量、炉回数等が含まれ得る。また、本発明において、「統計的手法」は、データマイニングの分野で使用される、分類の問題を扱う手法をいい、例えば、決定木やランダムフォレスト等が含まれる。
複数のスロッピング予知モデルを活用することにより、吹錬開始前に得られるデータ（溶銑成分、溶銑温度、炉回数等。）のみを使って、吹錬開始前の時点で、どのタイミングでスロッピングが発生するのかを高精度に予測できる。また、複数のスロッピング予知モデルを活用してスロッピングを予知する際に、特別なスロッピング予知専用のセンサーを使用する必要はない。すなわち、このような形態にすることにより、転炉吹錬のスロッピングを精度良くかつ安価に予知することができる。
【００１１】
上記本発明において、統計的手法として、決定木を用いても良い。決定木を用いて構築した複数のスロッピング予知モデルを活用することにより、吹錬開始前に得られるデータ（溶銑成分、溶銑温度、炉回数等。）のみを使って、吹錬開始前の時点で、どのタイミングでスロッピングが発生するのかを高精度に予測できる。また、統計的手法として決定木を用いる形態では、スロッピングを予知する際に、特別なスロッピング予知専用のセンサーを使用する必要はない。したがって、かかる形態であっても、転炉吹錬のスロッピングを精度良くかつ安価に予知することができる。
【００１２】
上記本発明において、統計的手法として、ランダムフォレストを用いても良い。ランダムフォレストを用いて構築した複数のスロッピング予知モデルを活用することにより、吹錬開始前に得られるデータ（溶銑成分、溶銑温度、炉回数等。）のみを使って、吹錬開始前の時点で、どのタイミングでスロッピングが発生するのかを高精度に予測できる。また、統計的手法としてランダムフォレストを用いる形態では、スロッピングを予知する際に、特別なスロッピング予知専用のセンサーを使用する必要はない。したがって、かかる形態であっても、転炉吹錬のスロッピングを精度良くかつ安価に予知することができる。
【発明の効果】
【００１３】
本発明では、複数のスロッピング予知モデルを活用して、転炉吹錬のスロッピングの発生時期を予知する。これにより、吹錬開始前に得られるデータ（溶銑成分、溶銑温度、炉回数等。）のみを使って、吹錬開始前の時点で、どのタイミングでスロッピングが発生するのかを高精度に予測できる。また、複数のスロッピング予知モデルを活用してスロッピングを予知する形態にすることにより、特別なスロッピング予知専用のセンサーを導入せずとも精度良く吹錬中のスロッピングの発生を予測できる。したがって、本発明によれば、転炉吹錬のスロッピングを高精度かつ安価に予知することが可能な、スロッピング予知方法を提供することができる。
【図面の簡単な説明】
【００１４】
【図１】制御ブロックの概念を説明する図である。
【図２】本発明で使用可能なスロッピング予知モデルの一形態を説明する図である。
【図３】本発明で使用可能なスロッピング予知モデルの他の形態を説明する図である。
【図４】スロッピングが発生した時期を限定せずに構築した決定木モデルを説明する図である。
【図５】決定木を用いた場合のスロッピング発生有無の予測精度を説明する図である。
【図６】ランダムフォレストの考え方を説明する図である。
【図７】ランダムフォレストを用いた場合のスロッピング発生有無の予測精度を説明する図である。
【図８】本発明を実施可能なシステムの構成例を説明する図である。
【図９】本発明を説明するフローチャートである。
【発明を実施するための形態】
【００１５】
以下、本発明の完成に至った着想について説明するとともに、本発明の実施の形態について説明する。なお、以下の説明において、転炉吹錬を単に「吹錬」ということがある。以下に説明する形態は本発明の例示であり、本発明は以下に説明する形態に限定されない。
【００１６】
吹錬開始前に得られるデータ（溶銑成分、溶銑温度、炉回数等。）のみを使って吹錬開始前の時点でスロッピングを予知できれば、スロッピング抑制のための対策検討（例えば、スロッピング抑制材の投入、上吹きランス高さの変更、上吹き酸素流量の変更等。）をオペレータが事前に実施可能となるため、より適正なスロッピング抑制が期待できる。そこで、本発明者らは特願２０１３−１４０８１２において、過去のスロッピング発生状況を表す実績データ、および、吹錬開始前に得られる操業データの過去の実績値に基づき、統計的手法にてスロッピング予知モデルを予め作成しておき、当該チャージの吹錬時には、その当該チャージの吹錬開始前に得られる操業データと、予め作成しておいたスロッピング予知モデルとを使って、吹錬開始前にスロッピングを予知する方法を提案した。
【００１７】
本発明者は、さらなる予知制度の向上を検討した結果、スロッピング発生状況を表す過去の実績データに加えて、スロッピング発生時期データ（詳細後述）を新たに活用することに着目した。スロッピングの発生時期によってスロッピングの発生機構は異なると予想されるため、それぞれの発生時期に応じたスロッピング予知モデルを構築し、構築した複数のスロッピング予知モデルを活用することにより、その予知精度の向上が期待できる。
【００１８】
本発明の実施の形態について説明するにあたり、はじめに、吹錬開始前に得られる操業データを用いたスロッピング予知方法について説明する。スロッピング発生状況を表すデータ（スロッピングコード）の定義を、表１に示す。
【００１９】
【表１】
2015224389.tif 000003
【００２０】
スロッピングコードとは、表１に示すように、スロッピングの発生状況に応じて１〜４の値をとるカテゴリ変数（質的変数）であり、チャージ毎にオペレータによってコンピュータに入力されデータベースに蓄積される。
【００２１】
次に、吹錬開始前に得られる操業データについて説明する。一般的な転炉には自動吹錬機能が導入されており、本機能にて吹錬期間を同じ酸素量で分割した制御ブロック（例えば１〜２５ブロック）毎に、上吹き酸素量や底吹き流量等を自動制御（パターン制御）している。この例を図１に示す。図１には、予定酸素量を２５等分し、上吹き酸素流量パターンに割り当てて各ブロックの時間を決定した様子が例示されている。そして、例えば図１に示した制御ブロック番号（図１の例ではＮｏ．１〜Ｎｏ．２５）をスロッピング発生時期データとして活用する。すなわち、スロッピングが発生した制御ブロック番号が、オペレータによってチャージ毎にコンピュータに入力され、データベースに蓄積されているとする。なお、ここでは制御ブロック番号を例示したが、本発明では、制御ブロック番号でなくとも、吹錬開始時からの経過時間や絶対な時刻（実際の時刻）等をスロッピング発生時期データとして蓄積しても構わない。
吹錬開始前に得られる操業データの例を表２に示す。
【００２２】
【表２】
2015224389.tif 000004
【００２３】
以降、表２に例示したような吹錬開始前に得られる操業データ（溶銑Ｃ等の溶銑成分、溶銑温度、炉回数等。）を用いる本発明の実施形態について説明する。
【００２４】
表１に示したスロッピングコード、および、スロッピング発生時期のデータ（過去の転炉吹錬におけるスロッピング発生状況およびスロッピング発生時期を表すデータ）と、表２に示した吹錬開始前に得られる操業データと、がデータベースに蓄積されているとする。
そして、データベースを活用することにより、過去のスロッピングコードと、スロッピング発生時期のデータと、吹錬開始前に得られる操業データの実績値とを準備しておき、統計的手法を用いてスロッピング予知モデルを構築する。スロッピング予知モデルを構築する際には、スロッピング発生時期がほぼ同じデータを対象データとする。すなわち、吹錬初期のスロッピングを対象とした予知モデルや、吹錬末期のスロッピングを対象とした予知モデルのように、スロッピング発生時期に応じた複数個のスロッピング予知モデルを構築する。
【００２５】
１．第１実施形態
スロッピング予知モデルを構築する際に使用可能な統計的手法としては、さまざまな統計的手法がある。本発明者は、調査の結果、まず、スロッピングコードのようなカテゴリ変数を目的変数とする場合にも対応可能な決定木モデルに着目した。
【００２６】
『山口和範、高橋淳一、竹内光悦著、「図解入門よくわかる多変量解析の基本と仕組み」、秀和システム、２００４年』には、回帰分析のような明示的な関数を用いずに、一連の手順に沿ってデータを分けていくことによって予知や判別を行う、決定木、回帰木に関する手法が紹介されている。近年データマイニングの分野で良く用いられる手法のひとつである樹木モデル（tree-based model）は、非線形回帰分析、判別分析方法であり、回帰の問題では回帰木（regression tree）、分類の問題では分類木（classification tree）または決定木（decision tree）と呼ばれている。決定木モデルは、簡便な分岐形式の説明変数（種々の操業条件）でカテゴリカルな目的変数（例えばスロッピングコード）を予知可能で、特に説明変数間の相互作用や非線形性が存在する場合には、重回帰式よりも有効で、最近では様々な分野の予知や判別に使われる手法である。
以降、吹錬初期と吹錬末期に発生したスロッピングを対象とし、決定木を用いて構築したスロッピング予知モデルについて説明する。
【００２７】
吹錬初期（制御ブロックＮｏ．５〜８）にスロッピングが発生したデータを対象とし、表１に示すスロッピングコードを目的変数、表２に示す操業データを説明変数候補として構築した決定木モデルを図２に示す（ｍｄｌ−Ｃａｓｅ１）。図２に示した各棒グラフの縦軸は確率、横軸はスロッピングコードである。すべての説明変数がモデルに採用される訳ではなく、図２に示すようにスロッピングコードの予知に寄与する操業データが分岐条件の形式で選択される。図２の場合には炉回数、炉号、溶銑Ｓｉ、溶銑Ｔｉ、溶銑重量の５項目が選択された。得られた決定木モデルの末端の枝（図２の各棒グラフ）がスロッピングコードの内訳を表している。例えば、炉回数が１５９１．５回よりも少なく（すなわち１５９１回以下）かつ溶銑Ｓｉが０．４０５％以上の場合には、図２の右端の末端の枝に示されているように、５０％以上の確率でスロッピングコード２（スロッピング中）以上のスロッピングが発生し、一方、溶銑Ｓｉが０．４０５％未満の場合には、図２の右端から２番目の末端の枝に示されているように、スロッピングコード２以上の発生確率は３０％程度と小さくなることを示している。このように決定木モデルは、ある説明変数の具体的な数値条件下での目的変数（カテゴリ変数）のカテゴリ毎の発生確率を提示できる。また、各末端のノードの多数決で、そのノードに対応する操業条件下でのスロッピングの有無を予測できる。たとえば、図２の左端のノードの操業条件に合致するチャージデータであれば、スロッピングコード１の割合が多数（８６％）を占めるので、スロッピングは発生しないと判断する。このような多数決に基づいてスロッピング発生有無の予測精度を評価した結果、吹錬前に得られる操業データを用いて吹錬初期（制御ブロックＮｏ．５〜８）に発生するスロッピング発生有無を、７０％の精度で予測できた。この予測結果（ｍｄｌ−Ｃａｓｅ１）を図５に示す。
【００２８】
次に、吹錬末期（制御ブロックＮｏ．２０〜２５）にスロッピングが発生したデータを対象とし、表１に示すスロッピングコードを目的変数、表２に示す操業データを説明変数候補として構築した決定木モデルを図３に示す（ｍｄｌ−Ｃａｓｅ２）。図３に示した各棒グラフも、縦軸は確率、横軸はスロッピングコードである。図３に示した決定木モデルでは、Ｄ級屑や炉号等、図２に示した決定木モデル（ｍｄｌ−Ｃａｓｅ１）では選択されなかった操業条件が分岐条件として選択された。ｍｄｌ−Ｃａｓｅ１の場合と同様に、多数決に基づいてスロッピング発生有無の予測精度を評価した結果、吹錬前に得られる操業データを用いて吹錬末期（制御ブロックＮｏ．２０〜２５）に発生するスロッピング発生有無を、８９％の精度で予測できた。この予測結果（ｍｄｌ−Ｃａｓｅ２）を図５に示す。
【００２９】
一方、スロッピングが発生した時期を限定せずに構築した決定木モデルを図４に示す（ｍｄｌ−Ｂａｓｅ）。ｍｄｌ−Ｃａｓｅ１やｍｄｌ−Ｃａｓｅ２の場合と同様に、ｍｄｌ−Ｂａｓｅを用いてスロッピング発生有無の予測精度を評価した結果、その予測精度は６２％だった。図５に示したように、スロッピングが発生した時期毎にスロッピング予知モデルを構築することにより合計で複数のスロッピング予知モデルを構築し（今回の例では、吹錬初期と吹錬末期で合計２つのスロッピング予知モデルを構築し）、これらのモデルを用いてスロッピング発生有無を予測することにより、その予測精度が改善することが示された。
【００３０】
２．第２実施形態
また、本発明者は、さらにスロッピング予測精度の向上に取り組み、統計的手法としてランダムフォレスト（Random Forest）の適用を検討した。『下川敏雄、杉本知之、後藤昌司著、金明哲編、「Ｒで学ぶデータサイエンス９  樹木構造接近法」、共立出版、２０１３年』によれば、ランダムフォレストは、決定木を「弱い」学習機とする集団学習アルゴリズムである。図６に、ランダムフォレストの考え方を示す。ランダムフォレストという呼び名はランダムサンプリングされた訓練データで多くの決定木を使用することに由来する。ランダムフォレストは、計算速度が速く、はずれ値やノイズに頑強という特徴をもち、特に分類問題における性能が良いことが知られている。一般的に、決定木はそのアルゴリズムの性質上学習データから受ける影響が大きいが、ランダムフォレストではランダムサンプリングによる集団学習によって外挿時でも高い予測精度が得られると言われている。そこで、次に、ランダムフォレストを用いて構築したスロッピング予知モデルについて説明する。
【００３１】
図７は、ランダムフォレストで構築したスロッピング予知モデルのスロッピング予測精度を示す図である。図７の「ｍｄｌ−Ｂａｓｅ−ｒｆ」は、スロッピングが発生した時期を限定しない場合の予測精度の結果であり、「ｍｄｌ−Ｃａｓｅ１−ｒｆ」は、吹錬初期（上記制御ブロックＮｏ．５〜８）にスロッピングが発生したデータを対象とした場合の予測精度の結果であり、「ｍｄｌ−Ｃａｓｅ２−ｒｆ」は、吹錬末期（上記制御ブロックＮｏ．２１〜２５）にスロッピングが発生したデータを対象とした場合の予測精度の結果である。図５および図７を比較すると、図７に示したランダムフォレストで構築したスロッピング予知モデルを用いたスロッピング予測精度は、図５に示した決定木で構築したスロッピング予知モデルを用いたスロッピング予測精度よりも精度が向上した。この結果から、スロッピング発生有無の予測においてもランダムフォレストが決定木よりも予測精度向上に有効であると考えられる。また、決定木と同様に、ランダムフォレストを用いた場合も、スロッピング発生時期を限定して構築したスロッピング予知モデル（ｍｄｌ−Ｃａｓｅ１−ｒｆ、ｍｄｌ−Ｃａｓｅ２−ｒｆ）の方が、スロッピング発生時期を限定せずに構築したモデル（ｍｄｌ−Ｂａｓｅ−ｒｆ）よりも予測精度が良好であることがわかる。
【００３２】
以上説明したように、決定木を用いる本発明の第１実施形態にかかるスロッピング予知モデルや、ランダムフォレストを用いる本発明の第２実施形態にかかるスロッピング予知モデルを用いることによって、オペレータは吹錬開始前の段階で、これから行う転炉吹錬（＝今後行われる転炉吹錬、当該チャージ）において、スロッピング発生時期を高精度で予測できる。これにより、スロッピング抑制のための対策検討（例えばスロッピング抑制材の投入、上吹きランス高さの変更、上吹き酸素流量の変更等）を、これから行う転炉吹錬の開始前に十分に行うことができる。
【００３３】
一方、特許文献１〜特許文献５に開示されているような従来のセンサー情報によるスロッピング予知情報は、吹錬中にオペレータに提示される。この場合、オペレータは、スロッピング抑制アクションの判断および実行を非常に短時間で実施する必要があり、不適切な抑制アクション（例えば過剰な抑制材の投入、過剰な酸素流量の低減等）が懸念される。これに対し、吹錬開始前にスロッピング発生時期を高精度に予測する本発明によるスロッピング予知方法によれば、従来技術よりも適切なスロッピング抑制操作を行うことが期待できる。また、本発明によるスロッピング予知方法によれば、従来技術のように特別なスロッピング予知専用のセンサーを導入せずとも吹錬開始前の時点でスロッピング発生時期を高精度に予測することができる。したがって、本発明によれば、転炉吹錬のスロッピングを高精度かつ安価に予知することができる。
【００３４】
図面を参照しつつ、本発明の実施形態についてさらに説明を続ける。図８は、本発明の転炉吹錬のスロッピング予知方法を実施可能な、スロッピング予知システムの形態例を説明する図である。図８に示したスロッピング予知システム１０において、溶銑スクラップデータ１は、チャージ毎の溶銑重量、溶銑成分（Ｃ、Ｓｉ、Ｍｎ、Ｐ、Ｔｉ等）、溶銑温度、溶銑率、スクラップ重量、炉回数等の溶銑条件のデータである。パラメータ２では、決定木やランダムフォレスト等の統計的手法で構築したスロッピング予知モデルの分岐条件項目と対応する分岐項目の数値条件を設定する。スロッピング発生予測演算部３では、当該チャージの溶銑スクラップデータ１を用いて、決定木やランダムフォレスト等の統計的手法にて構築した複数のスロッピング予知モデルに基づいてスロッピング発生有無を予測する。入出力部４では、パラメータの修正やスロッピング発生予測演算部３で求めたスロッピング発生有無を表示する。スロッピング予知システム１０において、入出力部４には公知の入出力手段を用いることができる。
【００３５】
スロッピング予知システム１０によれば、本発明のスロッピング予知方法を用いてスロッピングの発生時期を予測することができるので、吹錬開始前に得られるデータ（溶銑成分、溶銑温度、炉回数等）のみを使って吹錬開始前の時点で、スロッピング発生時期を高位精度で予測できる。また、スロッピング予知システム１０によれば、従来技術のように特別なスロッピング予知用のセンサーを導入せずとも精度良く吹錬中のスロッピング発生有無を予測できる。すなわち、スロッピング予知システム１０によれば、転炉吹錬のスロッピングを精度良くかつ安価に予知することができる。
【００３６】
図９は、本発明のスロッピング予知方法を説明するフローチャートである。
ＳＴＥＰ１では、溶銑重量およびスクラップ重量や炉回数等のデータを溶銑スクラップデータ１から収集する。ＳＴＥＰ２では、決定木やランダムフォレスト等の統計的手法で構築したスロッピング予知モデルの分岐条件項目と対応する分岐項目の数値条件を設定する。次に、ＳＴＥＰ３では、ＳＴＥＰ１で収集したデータ、および、ＳＴＥＰ２で設定した数値条件を用いる統計的手法にて構築した複数のスロッピング予知モデルに基づいて、スロッピング発生有無を予測し、その予測結果が出力される。次に、ＳＴＥＰ４では、吹錬が終了しているか否かが判断される。ＳＴＥＰ４で否定判断がなされた場合（吹錬が終了していない場合）にはＳＴＥＰ３に戻り、ＳＴＥＰ４で肯定判断がなされるまで、ＳＴＥＰ３〜ＳＴＥＰ４の処理が繰り返される。これに対し、ＳＴＥＰ４で肯定判断がなされた場合（吹錬が終了している場合）には計算を終了する。
【００３７】
以上の手順に従う本発明のスロッピング予知方法によれば、決定木やランダムフォレスト等の統計的手法を用いることにより、吹錬開始前に得られるデータ（溶銑成分、溶銑温度、炉回数等）のみを使って吹錬開始前の時点で、スロッピング発生時期を高位精度で予測できる。また、本発明のスロッピング予知方法では、従来技術のように特別なスロッピング予知用のセンサーを導入せずとも精度良く吹錬中のスロッピング発生有無を予測できる。すなわち、本発明のスロッピング予知方法によれば、転炉吹錬のスロッピングを精度良くかつ安価に予知することができる。
【００３８】
なお、本発明に関する上記説明では、統計的手法として決定木およびランダムフォレストを例示したが、本発明で使用可能な統計的手法はこれらに限定されない。スロッピングが発生した時期を限定しない場合のスロッピング発生時期の予測精度よりも、スロッピングが発生した時期を限定した場合のスロッピング発生時期の予測精度が高くなるような、データマイニングの分野で使用される分類の問題を扱う公知の統計的手法（例えばロジスティック回帰等）を適宜用いることができる。
【符号の説明】
【００３９】
１…溶銑スクラップデータ
２…パラメータ
３…スロッピング発生予測演算部
４…入出力部
１０…スロッピング予知システム
【図８】
2015224389.tif 000005
【図９】
2015224389.tif 000006
【図１】
2015224389.tif 000007
【図２】
2015224389.tif 000008
【図３】
2015224389.tif 000009
【図４】
2015224389.tif 000010
【図５】
2015224389.tif 000011
【図６】
2015224389.tif 000012
【図７】
2015224389.tif 000013